(57)【要約】【課題】盛り替え作業を減らすことのできる低コスト型の養生ネットの取り付け方法および取り付け装置を提供する。【解決手段】施工中の建物の躯体外周５に養生ネット６を取り付ける方法であって、柱部材２の柱頭部１２に、躯体４の外側に向けて外部足場７用のスペースの外側まで張り出す仮設部材１４を設置するステップと、仮設部材１４の外側端部にホイスト１６を設置するステップと、柱部材２を躯体４に設置するステップと、躯体４に設置した柱部材２からホイスト１６の吊り具２８を下ろし、下ろした吊り具２８に養生ネット６を取り付けるステップと、ホイスト１６の吊り具２８を上げて養生ネット６を躯体外周５に垂設するステップとを備えるようにする。【選択図】図３
2019148101.tif 000002
【特許請求の範囲】
【請求項１】
施工中の建物の躯体外周に養生ネットを取り付ける方法であって、
柱部材の柱頭部に、躯体の外側に向けて外部足場用のスペースの外側まで張り出す仮設部材を設置するステップと、
仮設部材の外側端部にホイストを設置するステップと、
柱部材を躯体に設置するステップと、
躯体に設置した柱部材からホイストの吊り具を下ろし、下ろした吊り具に養生ネットを取り付けるステップと、
ホイストの吊り具を上げて養生ネットを躯体外周に垂設するステップとを備えることを特徴とする養生ネットの取り付け方法。
【請求項２】
養生ネットを躯体外周に垂設した後、養生ネットと躯体に挟まれた空間に外部足場を設置する一方、養生ネットの背面側において、梁部材および胴縁部材を柱部材に設置するステップと、
外部足場、梁部材および胴縁部材を設置した後、養生ネットを外部足場に盛り替えるステップとをさらに備えることを特徴とする請求項１に記載の養生ネットの取り付け方法。
【請求項３】
養生ネットを外部足場に盛り替えた後、柱頭部からホイストおよび仮設部材を取り外すステップをさらに備えることを特徴とする請求項２に記載の養生ネットの取り付け方法。
【請求項４】
柱部材の柱頭部に仮設部材およびホイストを設置した後、この柱部材を躯体に設置することを特徴とする請求項１〜３のいずれか一つに記載の養生ネットの取り付け方法。
【請求項５】
施工中の建物の躯体外周に養生ネットを取り付けるための装置であって、
躯体を構成する柱部材の柱頭部に設置され、躯体の外側に向けて外部足場用のスペースの外側まで張り出した仮設部材と、
仮設部材の外側端部に設置され、養生ネットを取り付けるための吊り具を有するホイストとを備え、
養生ネットは、ホイストによる吊り具の昇降動作に応じて躯体外周に沿って昇降可能に吊り具に取り付けられることを特徴とする養生ネットの取り付け装置。
【発明の詳細な説明】
【技術分野】
【０００１】
本発明は、建築工事の鉄骨建方時に躯体外周に仮設される養生ネットの取り付け方法および取り付け装置に関するものである。
【背景技術】
【０００２】
従来、施工中の階層建物において、建物躯体外部への資機材の落下を防止するために、躯体外周を垂直面状の垂直養生ネットで養生することがある。垂直養生ネットの一般的な設置方法は、施工階の鉄骨柱や梁の建方完了後に、作業員が最上部の梁に水平ワイヤを介して垂直養生ネットの上部を取り付け、垂直養生ネットを吊り下ろすことにより躯体外周に仮設する、というものである。
【０００３】
しかしながら、躯体外周の鉄骨柱間に梁の建方が完了しないと、垂直養生ネットを設置できないので、躯体外周に梁を架設する際の飛来落下物を防ぐことが難しいという問題があった。こうした問題を解決するための技術として、例えば特許文献１に記載の養生ユニットが知られている。この養生ユニットは、建て込まれた２本の鉄骨柱間を覆う養生ネットと、養生ネットを広げた状態で保持する枠体と、枠体の上部から鉄骨柱側に向けて張り出す２本のブラケットと、各ブラケットの先端部に設けられて、鉄骨柱の上部の柱側掛止部に対して掛止可能な養生側掛止部とを備える。この構成によれば、鉄骨柱の建方完了後であって梁の取り付け前に、養生側掛止部を柱頭に差し込んで養生ユニットを設置することにより、養生ユニットで養生を行いながら、梁の取り付けを行える。
【先行技術文献】
【特許文献】
【０００４】
【特許文献１】特開２００２−０２１３３６号公報
【発明の概要】
【発明が解決しようとする課題】
【０００５】
しかしながら、上記の従来の特許文献１の養生ユニットでは、鉄骨柱や梁間に胴縁を取り付けたり、躯体外周に外部足場を組み立て架設する前に、養生ユニットを盛り替えたり、張り直したりする作業が必要となるので、その分だけ作業コストが増大するおそれがあった。このため、胴縁の取り付けや外部足場の組み立てのための養生ネットの盛り替え、張り直し作業が無いような技術が求められていた。
【０００６】
本発明は、上記に鑑みてなされたものであって、盛り替え作業を減らすことのできる低コスト型の養生ネットの取り付け方法および取り付け装置を提供することを目的とする。
【課題を解決するための手段】
【０００７】
上記した課題を解決し、目的を達成するために、本発明に係る養生ネットの取り付け方法は、施工中の建物の躯体外周に養生ネットを取り付ける方法であって、柱部材の柱頭部に、躯体の外側に向けて外部足場用のスペースの外側まで張り出す仮設部材を設置するステップと、仮設部材の外側端部にホイストを設置するステップと、柱部材を躯体に設置するステップと、躯体に設置した柱部材からホイストの吊り具を下ろし、下ろした吊り具に養生ネットを取り付けるステップと、ホイストの吊り具を上げて養生ネットを躯体外周に垂設するステップとを備えることを特徴とする。
【０００８】
また、本発明に係る他の養生ネットの取り付け方法は、上述した発明において、養生ネットを躯体外周に垂設した後、養生ネットと躯体に挟まれた空間に外部足場を設置する一方、養生ネットの背面側において、梁部材および胴縁部材を柱部材に設置するステップと、外部足場、梁部材および胴縁部材を設置した後、養生ネットを外部足場に盛り替えるステップとをさらに備えることを特徴とする。
【０００９】
また、本発明に係る他の養生ネットの取り付け方法は、上述した発明において、養生ネットを外部足場に盛り替えた後、柱頭部からホイストおよび仮設部材を取り外すステップをさらに備えることを特徴とする。
【００１０】
また、本発明に係る他の養生ネットの取り付け方法は、上述した発明において、柱部材の柱頭部に仮設部材およびホイストを設置した後、この柱部材を躯体に設置することを特徴とする。
【００１１】
また、本発明に係る養生ネットの取り付け装置は、施工中の建物の躯体外周に養生ネットを取り付けるための装置であって、躯体を構成する柱部材の柱頭部に設置され、躯体の外側に向けて外部足場用のスペースの外側まで張り出した仮設部材と、仮設部材の外側端部に設置され、養生ネットを取り付けるための吊り具を有するホイストとを備え、養生ネットは、ホイストによる吊り具の昇降動作に応じて躯体外周に沿って昇降可能に吊り具に取り付けられることを特徴とする。
【発明の効果】
【００１２】
本発明に係る養生ネットの取り付け方法によれば、施工中の建物の躯体外周に養生ネットを取り付ける方法であって、柱部材の柱頭部に、躯体の外側に向けて外部足場用のスペースの外側まで張り出す仮設部材を設置するステップと、仮設部材の外側端部にホイストを設置するステップと、柱部材を躯体に設置するステップと、躯体に設置した柱部材からホイストの吊り具を下ろし、下ろした吊り具に養生ネットを取り付けるステップと、ホイストの吊り具を上げて養生ネットを躯体外周に垂設するステップとを備えるので、外部足場用のスペースの外側に養生ネットを垂設することで、その後の梁部材の取り付けから胴縁部材の取り付け、外部足場の架設まで養生ネットの盛り替え作業を無くすことができるという効果を奏する。
【００１３】
また、本発明に係る他の養生ネットの取り付け方法によれば、養生ネットを躯体外周に垂設した後、養生ネットと躯体に挟まれた空間に外部足場を設置する一方、養生ネットの背面側において、梁部材および胴縁部材を柱部材に設置するステップと、外部足場、梁部材および胴縁部材を設置した後、養生ネットを外部足場に盛り替えるステップとをさらに備えるので、養生ネットの盛り替え作業を容易に行えるという効果を奏する。
【００１４】
また、本発明に係る他の養生ネットの取り付け方法によれば、養生ネットを外部足場に盛り替えた後、柱頭部からホイストおよび仮設部材を取り外すステップをさらに備えるので、取り外したホイストおよび仮設部材を、上階の柱部材の建方作業時の養生ネットの取り付けに再利用することができるとともに、柱頭部に対する上階の柱部材の建方作業が容易になるという効果を奏する。
【００１５】
また、本発明に係る他の養生ネットの取り付け方法によれば、柱部材の柱頭部に仮設部材およびホイストを設置した後、この柱部材を躯体に設置するので、柱頭部に対する仮設部材およびホイストの設置作業が容易になるという効果を奏する。
【００１６】
また、本発明に係る養生ネットの取り付け装置によれば、施工中の建物の躯体外周に養生ネットを取り付けるための装置であって、躯体を構成する柱部材の柱頭部に設置され、躯体の外側に向けて外部足場用のスペースの外側まで張り出した仮設部材と、仮設部材の外側端部に設置され、養生ネットを取り付けるための吊り具を有するホイストとを備え、養生ネットは、ホイストによる吊り具の昇降動作に応じて躯体外周に沿って昇降可能に吊り具に取り付けられるので、外部足場用のスペースの外側に養生ネットを垂設することで、その後の梁部材の取り付けから胴縁部材の取り付け、外部足場の架設まで養生ネットの盛り替え作業を無くすことができるという効果を奏する。
【図面の簡単な説明】
【００１７】
【図１】図１は、本発明に係る養生ネットの取り付け方法および取り付け装置が適用される施工中の建物躯体の概略図である。
【図２】図２は、施工中の建物躯体の側断面図である。
【図３】図３は、図２の要部拡大図である。
【図４】図４は、本発明に係る養生ネットの取り付け方法および取り付け装置の実施の形態を示す建物躯体の正面斜視図であり、（１）は鉄骨建方時、（２）は養生ネットの設置時である。
【図５】図５は、本発明に係る養生ネットの取り付け方法および取り付け装置の実施の形態を示す建物躯体の背面斜視図である。
【図６】図６は、本発明に係る養生ネットの取り付け方法および取り付け装置が適用された躯体施工手順例を示す図である。
【発明を実施するための形態】
【００１８】
以下に、本発明に係る養生ネットの取り付け方法および取り付け装置の実施の形態を図面に基づいて詳細に説明する。なお、この実施の形態によりこの発明が限定されるものではない。
【００１９】
本実施の形態は、図１の完成図に示すような中層の建物１の新築工事において、鉄骨建方時の養生に適用されるものである。図２は、鉄骨建方時の養生計画を例示した側断面図である。この図に示すように、建物１は、各階に鉄骨柱２（柱部材）と鉄骨梁３（梁部材）を備える躯体４からなる。この躯体４は１階分の鉄骨柱２、鉄骨梁３を施工した後、上階の施工に進む積層工法で施工される。なお、本発明は、１階分の鉄骨柱２、鉄骨梁３を施工した後、上階の施工に進む積層工法で施工される場合に限るものではなく、２階分以上ずつ鉄骨柱２、鉄骨梁３を施工する場合にも適用可能である。
【００２０】
施工階の躯体４の外周５には、本実施の形態の取り付け方法または取り付け装置によって養生ネット６が設置され、さらに外部足場７が架設される。この外部足場７は、施工階の鉄骨梁３、胴縁部材８、外壁パネル９等を取り付ける作業用足場として使用される。
【００２１】
次に、所定階の床躯体まで施工が完了しているものとして、躯体外周５に養生ネット６を取り付けるための取り付け装置と取り付け方法を説明する。
【００２２】
図３は、図２の要部を拡大したものである。この図に示すように、本実施の形態に係る養生ネットの取り付け装置１０は、建て込まれた鉄骨柱２の柱頭部１２に設置された仮設金物１４（仮設部材）と、仮設金物１４の外側端部に設置されたベビーホイスト１６（ホイスト）とを備える。なお、この取り付け装置１０は、図の紙面に垂直な方向に間隔（例えば７ｍ程度のスパン）を隔てて建て込まれた、少なくとも２本の鉄骨柱２の柱頭部１２にそれぞれ設けられる。このようにすれば、少なくとも２本の鉄骨柱２間を覆う位置に養生ネット６を取り付け可能である。柱頭部１２としては、例えば鉄骨柱２の上端に設置されるエレクションピースを利用することができる。
【００２３】
仮設金物１４は、躯体４の外側に向けて外部足場７用のスペースの外側まで水平に張り出した棒状の部材であり、例えば溝形鋼などで構成することができる。仮設金物１４の基部１８には、側面視で逆Ｕ字状の凹部２０が設けられている。この凹部２０は、柱頭部１２の上端部を内外から挟み込む形で配置されており、柱頭部１２の上端部のブラケット２２に仮ボルト２３で固定されている。
【００２４】
ベビーホイスト１６は、ドラム２４に巻回されたワイヤ２６と、ワイヤ２６の下端に取り付けられたフック２８（吊り具）を有している。このベビーホイスト１６は、有線または無線操作でドラム２４を回転することで、ワイヤ２６の下端のフック２８を昇降できるようになっている。
【００２５】
フック２８には、養生ネット６が吊り下げられる。養生ネット６は、矩形シート状の可撓性網であり、その上下端には養生ネット６を広げた状態で保持する単管からなる枠体３０が固定されている。上端の枠体３０には、フック２８を係合するための係合環３２が取り付けられている。したがって、養生ネット６は、ベビーホイスト１６によるフック２８の昇降動作に応じて躯体外周５に沿って昇降可能である。なお、養生ネット６の幅は、隣り合う２本の鉄骨柱２間を覆う大きさでもよいし、鉄骨柱２の２スパン分を覆う大きさなどに設定してもよい。
【００２６】
次に、この取り付け装置１０を用いた養生ネット６の取り付け方法について説明する。
まず、地上等において、少なくとも２本の鉄骨柱２の柱頭部１２に仮設金物１４を設置し、さらに仮設金物１４の外側端部にベビーホイスト１６を設置しておく。続いて、これらの鉄骨柱２をクレーン等で吊り上げて躯体４に設置する。こうすることで、柱頭部１２に対する仮設金物１４およびベビーホイスト１６の設置作業が容易になる。なお、このようにする代わりに、鉄骨柱２をクレーン等で吊り上げて躯体４に設置した後で、作業員が柱頭部１２まで昇って仮設金物１４およびベビーホイスト１６を設置してもよい。
【００２７】
次に、図４（１）に示すように、各ベビーホイスト１６を下降操作してフック２８を下階または地上等に下ろした後、フック２８に養生ネット６の上端の係合環３２を取り付ける。次に、図４（２）、図５に示すように、各ベビーホイスト１６を同期して上昇操作することにより、フック２８を上げて養生ネット６を躯体外周５に垂設する。このようにして、外部足場７用のスペースの外側に養生ネット６を垂設することができる。
【００２８】
なお、養生ネット６は、後工程で外部足場７の架設後にそのまま外部足場７に盛り替えることができるように、外部足場７外面に近い位置（例えば外面から５０ｃｍ程度の位置）に垂設することが好ましい。このようにすれば、後工程の養生ネット６の盛り替え作業効率が向上する。
【００２９】
次に、上記の取り付け方法を適用した建物の施工手順について説明する。
図６に示すように、まず、施工階の下まで外部足場７を組み立てた後（ステップＳ１）、施工階の鉄骨柱２の建方を行い（ステップＳ２）、上記の取り付け方法により養生ネット６を躯体外周５に垂設する（ステップＳ３）。次に、養生ネット６の背面側において、施工階の鉄骨柱２間に鉄骨梁３を架設することによって、鉄骨梁３の建方を行う（ステップＳ４）。続いて、養生ネット６と躯体４に挟まれた空間に外部足場７を組み立てる（ステップＳ５）。さらに、胴縁部材８（例えば縦胴縁）、外壁パネル９の取り付け（ステップＳ６）を行う。これらの作業中に、仮にボルトや工具などの資機材が躯体外周５に落下しても、養生ネット６で外部への飛来落下が防止される。
【００３０】
その後、養生ネット６を外部足場７に盛り替えて（ステップＳ７）、ステップＳ１に戻る。これにより、鉄骨梁３の取り付けから胴縁部材８、外壁パネル９の取り付け、外部足場７の架設まで、養生ネット６の盛り替え作業を無くすことができる。また、外部足場７への養生ネット６の盛り替え作業も容易に行うことができる。
【００３１】
なお、養生ネット６を外部足場７に盛り替えた後、柱頭部１２から仮設金物１４およびベビーホイスト１６を取り外して、クレーン等で地上へ下ろしてもよい。このようにすれば、取り外した仮設金物１４およびベビーホイスト１６を再度、上階の鉄骨柱２の建方作業時の養生ネット６の取り付けに再利用することができる。また、柱頭部１２に対する上階の鉄骨柱２の建方作業が容易になる。
【００３２】
以上説明したように、本発明に係る養生ネットの取り付け方法によれば、施工中の建物の躯体外周に養生ネットを取り付ける方法であって、柱部材の柱頭部に、躯体の外側に向けて外部足場用のスペースの外側まで張り出す仮設部材を設置するステップと、仮設部材の外側端部にホイストを設置するステップと、柱部材を躯体に設置するステップと、躯体に設置した柱部材からホイストの吊り具を下ろし、下ろした吊り具に養生ネットを取り付けるステップと、ホイストの吊り具を上げて養生ネットを躯体外周に垂設するステップとを備えるので、外部足場用のスペースの外側に養生ネットを垂設することで、その後の梁部材の取り付けから胴縁部材の取り付け、外部足場の架設まで養生ネットの盛り替え作業を無くすことができる。
【００３３】
また、本発明に係る他の養生ネットの取り付け方法によれば、養生ネットを躯体外周に垂設した後、養生ネットと躯体に挟まれた空間に外部足場を設置する一方、養生ネットの背面側において、梁部材および胴縁部材を柱部材に設置するステップと、外部足場、梁部材および胴縁部材を設置した後、養生ネットを外部足場に盛り替えるステップとをさらに備えるので、養生ネットの盛り替え作業を容易に行える。
【００３４】
また、本発明に係る他の養生ネットの取り付け方法によれば、養生ネットを外部足場に盛り替えた後、柱頭部からホイストおよび仮設部材を取り外すステップをさらに備えるので、取り外したホイストおよび仮設部材を、上階の柱部材の建方作業時の養生ネットの取り付けに再利用することができるとともに、柱頭部に対する上階の柱部材の建方作業が容易になる。
【００３５】
また、本発明に係る他の養生ネットの取り付け方法によれば、柱部材の柱頭部に仮設部材およびホイストを設置した後、この柱部材を躯体に設置するので、柱頭部に対する仮設部材およびホイストの設置作業が容易になる。
【００３６】
また、本発明に係る養生ネットの取り付け装置によれば、施工中の建物の躯体外周に養生ネットを取り付けるための装置であって、躯体を構成する柱部材の柱頭部に設置され、躯体の外側に向けて外部足場用のスペースの外側まで張り出した仮設部材と、仮設部材の外側端部に設置され、養生ネットを取り付けるための吊り具を有するホイストとを備え、養生ネットは、ホイストによる吊り具の昇降動作に応じて躯体外周に沿って昇降可能に吊り具に取り付けられるので、外部足場用のスペースの外側に養生ネットを垂設することで、その後の梁部材の取り付けから胴縁部材の取り付け、外部足場の架設まで養生ネットの盛り替え作業を無くすことができる。
【産業上の利用可能性】
【００３７】
以上のように、本発明に係る養生ネットの取り付け方法および取り付け装置は、建築工事の鉄骨建方時に躯体外周に仮設される養生ネットの取り付け方法に有用であり、特に、盛り替え作業を減らすのに適している。
【符号の説明】
【００３８】
１  建物
２  鉄骨柱（柱部材）
３  鉄骨梁（梁部材）
４  躯体
５  外周、躯体外周
６  養生ネット
７  外部足場
８  胴縁部材
９  外壁パネル
１０  養生ネットの取り付け装置
１２  柱頭部
１４  仮設金物（仮設部材）
１６  ベビーホイスト（ホイスト）
１８  基部
２０  凹部
２２  ブラケット
２４  ドラム
２６  ワイヤ
２８  フック（吊り具）
３０  枠体
３２  係合環
【図１】
2019148101.tif 000003
【図２】
2019148101.tif 000004
【図３】
2019148101.tif 000005
【図４】
2019148101.tif 000006
【図５】
2019148101.tif 000007
【図６】
2019148101.tif 000008